(57)【特許請求の範囲】
【請求項１】
回転可能な回転体と、この回転体の一部を回転可能に収納する空洞部を有するハウジングと、前記空洞部内に配設した固定接点と、前記回転体に取付けられて前記固定接点に接離可能な可動接点と、前記ハウジングの空洞部上を遮蔽すると共に前記回転体を前記回転操作可能に保持する保持部材とを備え、
前記ハウジングは、前記空洞部の下方を遮蔽する底壁と、前記空洞部の周囲に形成した外周壁とを有し、前記ハウジングの前記空洞部内には、前記回転体の回転に伴ってクリック感触が得られるクリック機構が配設され、前記クリック機構は、前記ハウジングに対して回り止めされた金属板からなるクリック板と、このクリック板に形成した複数のクリック発生部を摺動して前記クリック感触が得られる金属板からなる弾性部材とを有し、前記弾性部材は、前記回転体と共に回転可能になっており、前記クリック板は、前記ハウジングの底壁上に配設されて前記弾性部材の付勢力により前記底壁に押圧されており、前記回転体は、回転中心を挟んで対称方向に延出形成された一対のアーム部を有し、前記弾性部材は、環状に形成された一部が前記一対のアーム部に埋設されて前記一体化されていることを特徴とするロータリースイッチ。
【請求項２】
前記弾性部材には、前記クリック発生部に係脱可能な係脱部が形成され、前記クリック板には、前記弾性部材の前記係脱部が摺動可能な摺動部が形成されると共に、前記摺動部に前記クリック発生部が複数形成されていることを特徴とする請求項１記載のロータリースイッチ。
【請求項３】
前記クリック板の前記クリック発生部は、前記摺動部を所定間隔で貫通形成した複数の孔部からなり、前記弾性部材の前記係脱部は、前記孔部に係脱可能な凸状に形成されていることを特徴とする請求項２記載のロータリースイッチ。
【請求項４】
前記クリック板には、前記摺動部の外周縁に回り止め部が形成され、この回り止め部が前記ハウジングの前記外周壁に形成した係合部に係合可能になっていることを特徴とする請求項２、または３記載のロータリースイッチ。
【請求項５】
前記弾性部材は、一部が前記回転体に埋設されて一体化され、前記係脱部は、前記回転体の回転中心を挟んだ対称位置に一対形成されていることを特徴とする請求項２乃至４のいずれか１項に記載のロータリースイッチ。
【請求項６】
前記ハウジングの前記空洞部内には、内周側に内周領域と、外周側に外周領域とが形成され、前記内周領域の前記底壁には、前記固定接点が配設され、前記外周領域の前記底壁には、前記クリック板が配設され、前記内周領域と前記外周領域との間に所定高さの防塵壁が形成されていることを特徴とする請求項１乃至５のいずれか１項に記載のロータリースイッチ。
【請求項７】
前記クリック板に形成した前記孔部からなる前記クリック発生部と対向する位置の前記底壁には、所定深さで凹部が形成されていることを特徴とする請求項４乃至６の何れか１項に記載のロータリースイッチ。
【請求項８】
前記凹部は、前記クリック発生部と対向する位置の前記底壁に形成した円弧状の凹溝からなることを特徴とする請求項７記載のロータリースイッチ。
【請求項９】
前記ハウジングの前記底壁の中心部には、上方に突出する支持軸が形成され、前記支持軸と対向する前記回転体の回転中心には、前記支持軸に嵌合して回転可能な支持孔が形成されていることを特徴とする請求項１乃至８のいずれか１項に記載のロータリースイッチ。
【発明の詳細な説明】
【技術分野】
【０００１】
本発明はロータリースイッチに係わり、デジタルカメラ等のディスプレイに表示されるメニュー等を切替可能なロータリースイッチに関する。
【背景技術】
【０００２】
従来のロータリースイッチを、例えば特許文献１に記載のもので説明すると、特許文献１記載のロータリースイッチ３０は、図６、図７に示すように、最下部に樹脂材料からなるハウジング３１が配設され、このハウジング３１には、円筒状の支持部３１ａと、この支持部３１ａの下端側に略円環状の収納部３１ｂとを有する基盤部３１ｃが形成されている。
前記基盤部３１ｃには、外方に導出して開口部３１ｄが形成され、この開口部３１ｄには、固定端子部３２が配設されている。また、固定端子部３２は、絶縁材からなる基台 ３２ａと、この基台３２ａの一端側から複数の接続端子３２ｂが延出形成されている。そして、複数の接続端子３２ｂは、基台 ３２ａに埋設されていると共に、基台 ３２ａの他端部側から延出する複数の摺動子３２ｃに接続されている。
【０００３】
また、ハウジング３１の収納部３１ｂには、樹脂材料からなる回路基板３３が配設され、この回路基板３３は、中央にハウジング３１の支持部３１ａが挿通可能な挿通孔３３ａが形成されて外形が円環状に形成されている。
また、回路基板３３は、下面に摺動子３２ｃと摺動する環状の接点部（図示せず）が複数形成されて、回転体３４の下面に固着されている。
そして、回転体３４の回転に伴って回路基板３３が回転することで、接点部が摺動子３２ｃに対して摺動してスイッチ回路が切換わるようになっている。
前記回転体３４は、樹脂材料からなり、ハウジング３１の支持部３１ａに挿入されて回転可能な円筒状の回転軸部３４ａが形成されている。
【０００４】
また、回転軸部３４ａの図示下端側には、ハウジング３１の収納部３１ｂに収納されるツバ状の基部３４ｂが形成され、この基部３４ｂの下面に回路基板３３が接着剤等で固着されている。そして、基部３４ｂの上面には、内側の内周領域に複数の凹溝３４ｃが周方向に複数形成されると共に、凹溝３４ｃの外側の外周領域に平坦状の補助ばね受け部３４ｄが形成されている。
また、凹溝３４ｃ上には、略円環状のばね部材３５が配設され、このばね部材３５の互いに対向する位置に一対の平坦部３５ａが形成され、この平坦部３５ａにかしめ孔３５ｂが形成されている。
【０００５】
また、ばね部材３５は、平坦部３５ａを境として両端部を略Ｖ字状に屈曲した弾性腕部３５ｃが形成され、この弾性腕部３５ｃの一端側の中央には、凹溝３４ｃに係脱可能な凸部３５ｄが形成されている。
前記凸部３５ｄ近傍から外側に延設され、弾性腕部３５ｃの円弧方向に沿って略Ｔ字状で自由端状の補助ばね部３５ｅが形成されている。
【０００６】
また、ばね部材３５の上部に配設される金属板からなるフレーム３６には、回転体３４の回転軸部３４ａが挿通する窓孔３６ａが形成されると共に、ばね部材３５を下面に取付けるための一対の取付孔３６ｂが形成されている。
そして、取付孔３６ｂにばね部材３５のかしめ孔３５ｂを重ね合わせた状態でリベット３７を挿入してかしめ付けることで、フレーム３６にばね部材３５が固着されて一体化される。
また、フレーム３６には、ハウジング３１にかしめ付けて取付けるための複数の係合片３６ｃと、電子機器などの基板（図示せず）にリフロー半田等で取付けるための取付脚３６ｄとが形成されている。
このような従来のロータリースイッチは、フレーム３６の係合片３６ｃをハウジング３１にかしめ付けて組み立てがされ、ハウジング３１から図示下方に突出するフレーム３６の取付脚３６ｄが、電子機器などの基板にリフロー半田等により取付け可能になっている。
【０００７】
このような構成の従来のロータリースイッチの操作は、まず、回転体３４の回転軸部３４ａに取付けた摘み（図示せず）を回転操作すると、ハウジング３１の支持部３１ａを中心として回転体３４が回転する。
この時、回転体３４に取付けた回路基板３３が回動して、この回路基板３３に形成した接点部（図示せず）が固定端子部３２の摺動子３２ｃに当接した状態で摺動して、スイッチの切替が行われる。
また、回転体３４が回転することで、図８に示すように、補助ばね部３５ｅの自由端部が、平坦状の補助ばね受け部３４ｄに当接した状態で摺動すると共に、回転体３４の凹溝３４ｃがばね部材３５の凸部３５ｄに対して係脱してクリック感が得られる。
即ち、樹脂材料からなる回転体３４の凹溝３４ｃと、金属板からなるばね部材３５の凸部３５ｄとでクリック機構を構成して、クリック感触を得ることができるようになっている。
【特許文献１】特開２００２−１１０００２号公報
【発明の開示】
【発明が解決しようとする課題】
【０００８】
しかし、従来のロータリースイッチは、最近の薄型化の要求に対応してハウジング３１を薄肉にすると、電子機器などの基板にリフロー半田付け等で取付ける時の熱によって、薄肉のハウジング３１に反り、或いはねじれ等の不具合が発生するおそれがあった。そのために、従来のロータリースイッチは、ハウジングの変形を防止するための専用部材が必要であった。
また、回転体３４が樹脂材料で形成され、ばね部材３５が金属板で形成されているために、クリック機構である回転体３４の凹溝３４ｃが、ばね部材３５の凸部３５ｄに対して係脱を繰り返すことで、凹溝３４ｃのコーナ部が削られて磨耗し、ロータリースイッチの寿命が短くなる問題があった。
また、凹溝３４ｃが削られることで、樹脂粉等の磨耗粉が発生し、摺動子３２ｃ、或いは回路基板３３の接点部等に付着して、スイッチが導通不良等になるおそれがあった。
【０００９】
本発明は、前述したような課題を解決するためになされたもので、ハウジングを薄肉化しても反り等の変形が発生しないと共に、クリック機構の磨耗を軽減して長寿命のロータリースイッチを提供することを目的とする。
【課題を解決するための手段】
【００１０】
前記課題を解決するための第１の手段として本発明のロータリースイッチは、回転可能な回転体と、この回転体の一部を回転可能に収納する空洞部を有するハウジングと、前記空洞部内に配設した固定接点と、前記回転体に取付けられて前記固定接点に接離可能な可動接点と、前記ハウジングの空洞部上を遮蔽すると共に前記回転体を前記回転操作可能に保持する保持部材とを備え、前記ハウジングは、前記空洞部の下方を遮蔽する底壁と、前記空洞部の周囲に形成した外周壁とを有し、前記ハウジングの前記空洞部内には、前記回転体の回転に伴ってクリック感触が得られるクリック機構が配設され、前記クリック機構は、前記ハウジングに対して回り止めされた金属板からなるクリック板と、このクリック板に形成した複数のクリック発生部を摺動して前記クリック感触が得られる金属板からなる弾性部材とを有し、前記弾性部材は、前記回転体と共に回転可能になっており、前記クリック板は、前記ハウジングの底壁上に配設されて前記弾性部材の付勢力により前記底壁に押圧されており、前記回転体は、回転中心を挟んで対称方向に延出形成された一対のアーム部を有し、前記弾性部材は、環状に形成された一部が前記一対のアーム部に埋設されて前記一体化されていることを特徴とする。
また、前記課題を解決するための第２の手段として、前記弾性部材には、前記クリック発生部に係脱可能な係脱部が形成され、前記クリック板には、前記弾性部材の前記係脱部が摺動可能な摺動部が形成されると共に、前記摺動部に前記クリック発生部が複数形成されていることを特徴とする。
【００１１】
また、前記課題を解決するための第３の手段として、前記クリック板の前記クリック発生部は、前記摺動部を所定間隔で貫通形成した複数の孔部からなり、前記弾性部材の前記係脱部は、前記孔部に係脱可能な凸状に形成されていることを特徴とする。
また、前記課題を解決するための第４の手段として、前記クリック板には、前記摺動部の外周縁に回り止め部が形成され、この回り止め部が前記ハウジングの前記外周壁に形成した係合部に係合可能になっていることを特徴とする。
【００１２】
また、前記課題を解決するための第５の手段として、前記弾性部材は、一部が前記回転体に埋設されて一体化され、前記係脱部は、前記回転体の回転中心を挟んだ対称位置に一対形成されていることを特徴とする。
【００１３】
また、前記課題を解決するための第６の手段として、前記ハウジングの前記空洞部内には、内周側に内周領域と、外周側に外周領域とが形成され、前記内周領域の前記底壁には、前記固定接点が配設され、前記外周領域の前記底壁には、前記クリック板が配設され、前記内周領域と前記外周領域との間に所定高さの防塵壁が形成されていることを特徴とする。
また、前記課題を解決するための第７の手段として、前記クリック板に形成した前記孔部からなる前記クリック発生部と対向する位置の前記底壁には、所定深さで凹部が形成されていることを特徴とする。
【００１４】
また、前記課題を解決するための第８の手段として、前記凹部は、前記クリック発生部と対向する位置の前記底壁に形成した円弧状の凹溝からなることを特徴とする。
また、前記課題を解決するための第９の手段として、前記ハウジングの前記底壁の中心部には、上方に突出する支持軸が形成され、前記支持軸と対向する前記回転体の回転中心には、前記支持軸に嵌合して回転可能な支持孔が形成されていることを特徴とする。
【発明の効果】
【００１５】
本発明のロータリースイッチのクリック機構は、金属板からなるクリック板と、このクリック板に形成した複数のクリック発生部を摺動してクリック感触が得られる金属板からなる弾性部材とを有し、この弾性部材は、回転体と共に回転可能になっており、クリック板は、ハウジングの底壁上に配設されて弾性部材の付勢力により底壁に押圧されているので、弾性部材により底壁に押圧されるクリック板によって、リフロー半田等の熱によるハウジングの変形を防止できる。そのために、ハウジングの変形防止用の専用部材が不要になる。また、弾性部材及びクリック板の両方が金属板なので、互いの磨耗を軽減できて長寿命のロータリースイッチを提供できる。
また、弾性部材は、クリック発生部に係脱可能な係脱部が形成され、クリック板には、弾性部材の係脱部が摺動可能な摺動部が形成されると共に、摺動部にクリック発生部が複数形成されているので、弾性部材の係脱部がクリック板の複数のクリック発生部を係脱することで、クリック感触を確実に得ることができる。
【００１６】
また、クリック板のクリック発生部は、摺動部を所定間隔で貫通形成した複数の孔部からなり、弾性部材の係脱部は、孔部に係脱可能な凸状に形成されているので、孔部からなるクリック発生部が摺動部で繋がっておりクリック板の剛性を高めることができ、より確実なハウジングの変形防止ができる。また、孔部に凸状の係脱部が係脱するので、更に確実なクリック感触を得ることができる。
また、クリック板には、摺動部の外周縁に回り止め部が形成され、この回り止め部がハウジングの外周壁に形成した係合部に係合可能になっているので、クリック板を確実に回り止めすることができる。
【００１７】
また、弾性部材は、回転体に埋設されて一体化され、係脱部は、回転体の回転中心を挟んだ対称位置に一対形成されているので、一対の係脱部によって、クリック板をバランスよく均等に弾性付勢することができる。
また、回転体には、回転中心を挟んで対称方向に突出する一対のアーム部が形成され、弾性部材は、環状に形成された一部分が一対のアーム部に埋設されているので、回転体の外周部に弾性部材を配設できると共に、回転体の厚さ内に弾性部材を埋設できる。そのために、薄型化が可能である。
【００１８】
また、ハウジングの空洞部内には、内周側に形成した内周領域と、外周側に形成した外周領域とを有し、内周領域の底壁には、固定接点が配設され、外周領域の底壁には、クリック板が配設され、内周領域と外周領域との間に所定高さの防塵壁が形成されているので、固定接点に塗布している接点用グリスと、クリック板に塗布している潤滑用グリスとが混ざるのを防止できる。
更に、クリック板、または弾性部材が磨耗して金属粉が発生したとしても、この金属粉が内周領域の接点領域に侵入するのを防止できる。
また、外周領域の底壁には、クリック板に形成した孔部からなるクリック発生部と対向する位置に、所定深さで凹部が形成されているので、孔部からなるクリック発生部に係合する凸状の係脱部が、クリック発生部から突き出たとしても底壁に当接するのを防止できる。
【００１９】
また、凹部は、クリック発生部と対向する位置の底壁に形成した円弧状の凹溝からなるので、ハウジングを製造する成型金型の製造が容易である。
また、ハウジングの底壁の中心部には、上方に突出する支持軸が形成され、支持軸と対向する回転体の回転中心には、支持軸に嵌合して回転可能な支持孔が形成されているので、回転体の偏心を防止できる。
【発明を実施するための最良の形態】
【００２０】
以下に、本発明のロータリースイッチの実施の形態を図面に基づいて説明する。まず、本発明の実施の形態のロータリースイッチ１を図１〜図５に基づいて説明すると、外形が多角形（例えば８角形）に形成された樹脂材料からなるハウジング２が最下部に配設されている。
このハウジング２は、周囲が外周壁２ａで囲まれ、この外周壁２ａの外周面には、鉤状のフック部２ｂが４箇所に突出形成されている。前記外周壁２ａの内周面の複数箇所には、後述するクリック板７の回り止め部７ｃ及び切起し部７ｄが係合可能な係合部２ｃが形成されている。
【００２１】
また、ハウジング２は、内部に空洞部２ｅが形成され、この空洞部２ｅの下部が底壁３で遮蔽されて上方が開放されている。前記底壁３の裏面には、図３に示すように、電子機器などの基板（図示せず）に位置決めするための位置決め突起２ｄが突出形成されている。
前記底壁３上には、所定高さの防塵壁３ａが環状に形成され、空洞部２ｅは、防塵壁３ａを挟んだ内側に内周領域３ｂ、外側に外周領域３ｃが形成されている。そして、内周領域３ｂには、複数の固定接点４が形成されている。
【００２２】
前記固定接点４は、防塵壁３ａに接する内周領域３ｂの外側に、複数の個別接点４ａが円周方向に互いに隣り合って形成されると共に、個別接点４ａの内周側に環状の共通接点４ｂが形成されている。
また、外周領域３ｃの底壁３上には、金属板からなる後述するクリック板７が配設されている。
即ち、ハウジング２の空洞部２ｅ内には、内周側に形成した内周領域３ｂと、外周側に形成した外周領域３ｃとを有し、内周領域３ｂの底壁３には、固定接点４が配設され、外周領域３ｃの底壁３には、クリック板７が配設され、内周領域３ｂと外周領域３ｃとの間に所定高さの防塵壁３ａが形成されている。
【００２３】
また、個別接点４ａ及び共通接点４ｂは、それぞれが絶縁されて底壁３に埋設され、外周壁２ａから外方に延出して複数の外部端子５に接続されている。
また、外周領域３ｃの底壁３には、所定深さで円弧状の凹溝からなる凹部３ｄが円周方向に形成され、この凹部３ｄを挟んだ内周側と外周側とに、同じ高さのクリック板受け部３ｅが形成されている。
また、共通電極４ｂの内側で底壁３の中心部には、所定の径寸法と高さ寸法の支持軸６が突出形成されている。
【００２４】
また、ハウジング２の空洞部２ｅ内には、後述する回転体９を回転操作することでクリック感触を得ることができるクリック機構が配設されている。前記クリック機構は、所定厚さの金属板からなるクリック板７を有し、このクリック板７は、ハウジング２の外周領域３ｃのクリック板受け部３ｅ上に載置可能な環状に形成されている。
また、クリック板７には、一方の面である図示上面が平坦状に形成された摺動部７ａが設けられている。前記摺動部７ａには、複数の角孔状の孔部からなるクリック発生部７ｂが円周方向に所定間隔で打ち抜きされて貫通形成されている。
前記孔部からなるクリック発生部７ｂは、一方の面（図示上面）側から打抜き加工しているので、一方の面側のコーナ部にダレ（剪断面）が発生すると共に、他方の面（図示下面）側にバリ（破断面）が発生するようになっている。
そのために、クリック発生部７ｂに後述する弾性部材１０の凸状の係脱部１０ａを無理なく係脱でき、操作フィーリングの良いクリック感触を得ることができる。
【００２５】
また、クリック板７には、環状の外周縁部の互いに対向する位置の２箇所に回り止め部７ｃ、７ｃが突出形成され、一方の回り止め部７ｃ近傍を図示上方の一方向に所定高さで切曲げした切曲げ部７ｄが形成されている。
そして、ハウジング２の外周領域３ｃのクリック板受け部３ｅ上にクリック板７を載置すると、回り止め部７ｃが外周壁２ａの係合部２ｃに係合して、クリック板７の回転方向の動きが規制されて回り止めされるようになっている。
また、切曲げ部７ｄは、一方向に切曲げされているので、クリック板７の裏表を識別可能になっていると共に、組立て時にクリック板７をチャッキングできるようになっている。
【００２６】
また、ハウジング２の内周領域３ｂ上には、共通接点４ｂに当接して摺動可能な第１摺動子８ａと、個別接点４ａに当接して摺動可能な第２摺動子８ｂとが形成された略環状の可動接点８が配設されている。
前記可動接点８には、互いに対向する位置の２箇所に取付孔８ｃ、８ｃが形成され、この取付孔８ｃ、８ｃが回転体９に取付け可能になっている。
また、回転体９は、樹脂材料からなり、外形が円形状の基部９ａと、この基部９ａから上方に突出する摘み部９ｂと、回転中心（摘み部９ｂ）を挟んで基部９ａから対称方向に所定長さで延びる一対のアーム部９ｃ、９ｃとが形成されている。
【００２７】
また、一対のアーム部９ｃ、９ｃの先端部寄りの位置には、回転体９の回転中心を中心とする円弧状の凸条部９ｄ、９ｄが形成され、この凸条部９ｄ、９ｄによって、後述する保持部材１１と回転体９との間での摩擦抵抗を小さくするようになっている。
また、回転体９には、図４に示すように、底壁３に形成した支持軸６と対向する回転中心に、支持軸６に嵌合して回転可能な支持孔９ｅが所定深さで形成されている。また、アーム部９ｃの端部寄りには、ステンレス板等の弾性を有する金属板からなる外形が環状の弾性部材１０が埋設して固着されている。
【００２８】
前記環状の弾性部材１０は、回転体９の回転中心（摘み部９ｂ）を挟んで、アーム部９ｃ、９ｃの延出方向と直交する方向の対称位置に、図示下方側に突出させて凸状の係脱部１０ａ、１０ａが形成されている。そして、基部９ａ下面に、可動接点８が取付けられて回転体９が構成されている。
このような構成の回転体９は、係脱部１０ａ、１０ａを、クリック板７の摺動部７ａ上に位置させ、後述する保持部材１１でハウジング２の開放された上方を遮蔽すると、弾性部材１０の付勢力によりクリック板７がハウジング２の底壁３に押圧されるようになっている。この時、回転体９を回転操作させると、係脱部１０ａが角孔状のクリック発生部７ｂに係脱して、所定の大きさのクリック感触が得られるようになっている。
【００２９】
また、回転体９の上方には、回転体９を弾性部材１０の付勢力に抗してハウジングの空洞内部に保持するための金属板からなる保持部材１１が配設されている。
この保持部材１１は、外形が略８角形の遮蔽部１１ａを有し、この遮蔽部１１ａの中央部に、摘み部９ｂが挿通して回転体９を回転自在に支持可能な軸孔１１ｂが形成されている。また、遮蔽部１１ａの外周縁部には、互いに対向する位置の４箇所に、ハウジング２のフック部２ｂにスナップ係止可能な係止部１１ｃが形成されている。
【００３０】
このような構成の本発明のロータリースイッチ１の組立ては、クリック板７の切曲げ部７ｃを上向きにした状態で、回り止め部７ｃをハウジング２の係合部２ｃに係合させて、底壁３のクリック板受け部３ｅ上にクリック板７を載置する。その後、クリック板７の摺動部７ａ上に、弾性部材１０の係脱部１０ａを位置合わせして回転体９を載置する。
すると、可動接点８の第１摺動子８ａが共通接点４ｂ上に位置すると共に、第２摺動子８ｂが個別接点４ａ上に位置する。
【００３１】
次に、回転体９上に保持部材１１を位置させて、保持部材１１の軸孔１１ｂに回転体９の摘み部９ｂを挿通すると共に、係止部１１ｃをハウジング２のフック部２ｂにスナップ係止すると、弾性部材１０の付勢力に抗して回転体９が保持部材１１で下方に押圧されて、弾性部材１０の係脱部１０ａがクリック板７をハウジング２の底壁３に押圧する。
同時に、可動接点８の第１摺動子８ａが共通接点４ｂに弾接すると共に、第２摺動子８ｂが個別接点４ａに弾接して、本発明のロータリースイッチ１が組立てされている。
【００３２】
このように組立てられたロータリースイッチ１は、薄型化対応のために、ハウジング２の底壁３が薄肉に形成されているが、底壁３上に金属板からなるクリック板７が弾性部材１０で押圧されて密着しているので、デジタルカメラ等の電子機器の基板（図示せず）に外部端子５をリフロー半田して取り付けたとしても、半田付け時の熱により発生するハウジング２の反り、或いはねじれ等の変形を防止できる。そのために、薄型化が可能なロータリースイッチ１とすることができる。また、ハウジング２には、内周領域３ｂと外周領域３ｃとの間に形成している防塵壁３ａによって、クリック板７、または弾性部材１０が磨耗して金属粉が発生したとしても、この金属粉が内周領域３ｂの接点領域に侵入するのを確実に防止できる。そのために、固定接点４と可動接点８との接触を、更に確実にして、安定した接触とすることができる。
また、クリック板７の摺動部７ａと弾性部材１０の係脱部１０ａとの摺動性能を向上するために、摺動部７ａの上面には、グリス等の潤滑剤が塗布されているが、この潤滑剤は、防塵壁３ａによって、内周領域３ｂに流れ込むのを防止できる。
【００３３】
このようなロータリースイッチ１の操作は、回転体９の摘み部９ｂを操作者が回転操作すると、弾性部材１０の係脱部１０ａがクリック板７の摺動部７ａ上を摺動して、クリック発生部７ｂを係脱してクリック感触が発生する。
このことにより、摘み部９ｂを回転操作する操作者が、クリック感触を得ると共に、このクリック感触に対応して、第１摺動子８ａが複数の個別接点４ａを接離してスイッチ回路が切替えられる。
即ち、スイッチ回路の切替えに連動して、クリック感触を操作者が得ることができ、操作性に優れている。
このような本発明のロータリースイッチ１は、例えばデジタルカメラ等の電子機器に用いられており、回転体９を回転操作することで、ディスプレイ上に表示されているメニュー等の選択、或いはスクロール等が行えるようになっている。
【００３４】
尚、底壁３に形成した凹部３ｄは、図１において、所定深さと幅寸法の環状のもので説明したが、底壁３上に載置したクリック板７のクリック発生部７ｂと対向する位置に、所定深さで角孔状に掘り込み形成したものでも良い。
また、クリック板７のクリック発生部７ｂを角孔状に打ち抜き形成したもので説明したが、摺動部７ａを所定深さで凹状に図示下方にへこませたものでも良い。
【図面の簡単な説明】
【００３５】
【図１】本発明のロータリースイッチの分解斜視図である。
【図２】本発明のロータリースイッチの上面図である。
【図３】図２の側面図である。
【図４】図２の４-４断面図である。
【図５】図２の５-５断面図である。
【図６】従来のロータリースイッチの分解斜視図である。
【図７】従来のロータリースイッチの回転体の要部拡大図である。
【図８】従来のロータリースイッチの回転体とばね部材の凸部との関係を説明する要部断面図である。
【符号の説明】
【００３６】
１  本発明のロータリースイッチ
２  ハウジング
２ａ  外周壁
２ｂ  フック部
２ｃ  係合部
２ｄ  位置決め突起
２ｅ  空洞部
３  底壁
３ａ  防塵壁
３ｂ  内周領域
３ｃ  外周領域
３ｄ  逃げ溝
３ｅ  クリック板受け部
４  固定接点
４ａ  個別接点
４ｂ  共通接点
５  外部端子
６  支持軸
７  クリック板
７ａ  摺動部
７ｂ  クリック発生部
７ｃ  回り止め部
７ｄ  切曲げ部
８  可動接点
８ａ  第１摺動子
８ｂ  第２摺動子
８ｃ  取付孔
９  回転体
９ａ  基部
９ｂ  摘み部
９ｃ  アーム部
９ｄ  凸条部
９ｅ  支持孔
１０  弾性部材
１０ａ  係脱部
１１  保持部材
１１ａ  遮蔽部
１１ｂ  軸孔
１１ｃ  係止部
【図１】
0004528253.tif 000002
【図２】
0004528253.tif 000003
【図３】
0004528253.tif 000004
【図４】
0004528253.tif 000005
【図５】
0004528253.tif 000006
【図６】
0004528253.tif 000007
【図７】
0004528253.tif 000008
【図８】
0004528253.tif 000009